(57)【要約】【課題】宅内機器操作システムにおいて、宅内機器交換の作業負荷を軽減する。【解決手段】宅内機器と接続された通信アダプタと、通信アダプタと通信を行うコントローラとを含む宅内機器制御監視システムであって、コントローラは、通信アダプタと宅内機器との接続関係を示す情報を含む対応テーブルを格納する記憶部と、通信アダプタと通信を行う通信部と、コントローラの動作を制御する制御部とを備え、制御部は、通信アダプタから、通信アダプタが起動したときに送信される起動通知を受信すると、通信アダプタに対して、通信アダプタに接続する宅内機器の識別情報を要求し、当該要求に応答して通信アダプタから識別情報を受信し、受信した識別情報に係る宅内機器と当該宅内機器に接続された通信アダプタとの接続関係を示す情報が、対応テーブルに登録されていない場合に、受信した識別情報に基づき前記対応テーブルを更新する。【選択図】図５
2015046824.tif 000002
【特許請求の範囲】
【請求項１】
宅内機器と接続された通信アダプタと、前記通信アダプタと通信を行うコントローラとを含む宅内機器制御監視システムであって、
前記コントローラは、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、前記通信アダプタから、前記通信アダプタが起動したときに送信される起動通知を受信すると、
前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
宅内機器制御監視システム。
【請求項２】
前記制御部は、前記コントローラが起動したときに、前記通信アダプタに対して、前記通信アダプタに接続する宅内機器の識別情報を要求し、当該要求に対応した前記通信アダプタから前記識別情報を受信し、前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
請求項１に記載の宅内機器制御監視システム。
【請求項３】
宅内機器と接続された通信アダプタと、前記通信アダプタと通信を行うコントローラとを含む宅内機器制御監視システムであって、
前記コントローラは、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、定期的ポーリング処理により、前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
宅内機器制御監視システム。
【請求項４】
前記制御部は、
前記受信した識別情報に係る宅内機器と当該宅内機器に接続された通信アダプタとの接続関係を示す情報が、前記対応テーブルに登録されておらず、且つ、
当該宅内機器と、当該宅内機器に接続された通信アダプタとは異なる通信アダプタとの接続関係を示す情報が、前記対応テーブルに登録されている場合には、
前記受信した識別情報に係る宅内機器と当該宅内機器に接続された通信アダプタとの接続関係を示す情報を、前記対応テーブルに追加し、且つ、
当該宅内機器と、当該宅内機器に接続された通信アダプタとは異なる通信アダプタとの接続関係を示す情報を、前記対応テーブルにて無効化する、
請求項１乃至３のうちのいずれか一に記載の宅内機器制御監視システム。
【請求項５】
操作器からの遠隔操作に係るコマンドを通信アダプタを介して宅内機器に伝送するコントローラであって、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、前記通信アダプタから、前記通信アダプタが起動したときに送信される起動通知イベントを受信すると、
前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
コントローラ。
【請求項６】
前記制御部は、前記コントローラが起動したときに、前記通信アダプタに対して、前記通信アダプタに接続する宅内機器の識別情報を要求し、当該要求に応答して前記通信アダプタから前記識別情報を受信し、前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
請求項５に記載のコントローラ。
【請求項７】
操作器からの遠隔操作に係るコマンドを通信アダプタを介して宅内機器に伝送するコントローラであって、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、定期的ポーリング処理により、前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する、
コントローラ。
【請求項８】
前記制御部は、
前記受信した識別情報に係る宅内機器と当該宅内機器に接続された通信アダプタとの接続関係を示す情報が、前記対応テーブルに登録されておらず、且つ、
当該宅内機器と、当該宅内機器に接続された通信アダプタとは異なる通信アダプタとの接続関係を示す情報が、前記対応テーブルに登録されている場合には、
前記受信した識別情報に係る宅内機器と当該宅内機器に接続された通信アダプタとの接続関係を示す情報を、前記対応テーブルに追加し、且つ、
当該宅内機器と、当該宅内機器に接続された通信アダプタとは異なる通信アダプタとの接続関係を示す情報を、前記対応テーブルにて無効化する、
請求項５乃至７のうちのいずれか一に記載のコントローラ。
【請求項９】
前記対応テーブルが、通信アダプタの端末アドレスと、その通信アダプタに接続する宅内機器の機器ＩＤとを関連付けるものである
請求項１乃至４のうちのいずれか一に記載の宅内機器制御監視システム。
【請求項１０】
前記対応テーブルが、通信アダプタの端末アドレスと、その通信アダプタに接続する宅内機器の機器ＩＤとを関連付けるものである
請求項５乃至８のうちのいずれか一に記載のコントローラ。
【発明の詳細な説明】
【技術分野】
【０００１】
本発明は、宅内機器制御監視システムに関する。
【背景技術】
【０００２】
従来、家庭内ネットワークに接続される家庭用電気機器（宅内機器）を遠隔操作するための宅内機器操作システムが構築されている。宅内機器操作システムでは、ゲートウエイ装置であるコントローラが、複数の宅内機器に関する情報、及び宅内機器に付属する通信アダプタの情報を一括して管理している。
【０００３】
なお、特許文献１には、住居内で日常使用する電子機器の詳細な機器情報を取得し且つそれら機器情報を選択的に印刷出力するプリンタを含む機器情報印刷システムが開示されている。
【先行技術文献】
【特許文献】
【０００４】
【特許文献１】特開２００５−３３６１５号公報
【発明の概要】
【発明が解決しようとする課題】
【０００５】
従来の宅内機器操作システムでは、宅内機器の故障等により宅内機器の交換が必要となった場合、宅内機器の交換工事の施工者が交換工事後、コントローラへの宅内機器の識別情報の再登録を行わなければ宅内機器操作システムは適切に動作しない。宅内機器の交換工事後のコントローラへの宅内機器の識別情報の再登録は、工事施工者にとって負荷の掛かる煩わしい作業である。
【０００６】
上記課題に鑑みて、本発明に係る宅内機器制御監視システムの目的とするところは、宅内機器操作システムにおいて、宅内機器の交換時に通信アダプタ及び宅内機器のための識別情報の再登録操作を省き、宅内機器交換の作業負荷を軽減することである。
【課題を解決するための手段】
【０００７】
本発明に係る宅内機器制御監視システムは、
宅内機器と接続された通信アダプタと、前記通信アダプタと通信を行うコントローラとを含む宅内機器制御監視システムであって、
前記コントローラは、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、前記通信アダプタから、前記通信アダプタが起動したときに送信される起動通知を受信すると、
前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する。
【０００８】
更に、本発明に係る宅内機器制御監視システムにおいて、
前記制御部は、前記コントローラが起動したときに、前記通信アダプタに対して、前記通信アダプタに接続する宅内機器の識別情報を要求し、当該要求に対応した前記通信アダプタから前記識別情報を受信し、前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新するものであってもよい。
【０００９】
宅内機器と接続された通信アダプタと、前記通信アダプタと通信を行うコントローラとを含む宅内機器制御監視システムであって、
前記コントローラは、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、定期的ポーリング処理により、前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する。
【００１０】
更に、本発明に係る宅内機器制御監視システムにおいて、
前記制御部は、
前記受信した識別情報に係る宅内機器と当該宅内機器に接続された通信アダプタとの接続関係を示す情報が、前記対応テーブルに登録されておらず、且つ、
当該宅内機器と、当該宅内機器に接続された通信アダプタとは異なる通信アダプタとの接続関係を示す情報が、前記対応テーブルに登録されている場合には、
前記受信した識別情報に係る宅内機器と当該宅内機器に接続された通信アダプタとの接続関係を示す情報を、前記対応テーブルに追加し、且つ、
当該宅内機器と、当該宅内機器に接続された通信アダプタとは異なる通信アダプタとの接続関係を示す情報を、前記対応テーブルにて無効化するものであってもよい。
【００１１】
本発明に係るコントローラは、
操作器からの遠隔操作に係るコマンドを通信アダプタを介して宅内機器に伝送するコントローラであって、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、前記通信アダプタから、前記通信アダプタが起動したときに送信される起動通知イベントを受信すると、
前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する。
【００１２】
更に、本発明に係るコントローラにおいて、
前記制御部は、前記コントローラが起動したときに、前記通信アダプタに対して、前記通信アダプタに接続する宅内機器の識別情報を要求し、当該要求に応答して前記通信アダプタから前記識別情報を受信し、前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新するものであってもよい。
【００１３】
また、本発明に係るコントローラは、
操作器からの遠隔操作に係るコマンドを通信アダプタを介して宅内機器に伝送するコントローラであって、
前記通信アダプタと前記宅内機器との接続関係を示す情報を含む対応テーブルを格納する記憶部と、
前記通信アダプタと通信を行う通信部と、
前記コントローラの動作を制御する制御部と、を備え、
前記制御部は、定期的ポーリング処理により、前記通信アダプタに対して、前記通信アダプタに接続する宅内機器の識別情報を要求し、
当該要求に応答して前記通信アダプタから前記識別情報を受信し、
前記受信した識別情報に係る宅内機器と当該宅内機器に接続された通信アダプタとの接続関係を示す情報が、前記対応テーブルに登録されていない場合に、前記受信した識別情報に基づき前記対応テーブルを更新する。
【００１４】
更に、本発明に係るコントローラにおいて、
前記制御部は、
前記受信した識別情報に係る宅内機器と当該宅内機器に接続された通信アダプタとの接続関係を示す情報が、前記対応テーブルに登録されておらず、且つ、
当該宅内機器と、当該宅内機器に接続された通信アダプタとは異なる通信アダプタとの接続関係を示す情報が、前記対応テーブルに登録されている場合には、
前記受信した識別情報に係る宅内機器と当該宅内機器に接続された通信アダプタとの接続関係を示す情報を、前記対応テーブルに追加し、且つ、
当該宅内機器と、当該宅内機器に接続された通信アダプタとは異なる通信アダプタとの接続関係を示す情報を、前記対応テーブルにて無効化するものであってもよい。
【００１５】
更に、本発明に係る宅内機器制御監視システム及びコントローラにおいて、
前記対応テーブルが、通信アダプタの端末アドレスと、その通信アダプタに接続する宅内機器の機器ＩＤとを関連付けるものであってもよい。
【発明の効果】
【００１６】
本発明に係る宅内機器制御監視システムは、宅内機器操作システムにおける宅内機器の交換時に、通信アダプタ及び宅内機器のための再登録操作を省くことができ、これにより宅内機器交換の作業負荷が軽減される。
【図面の簡単な説明】
【００１７】
【図１】実施の形態１に係る宅内機器制御監視システムを含む宅内機器操作システムのブロック図である。
【図２】実施の形態１に係る宅内機器制御監視システムにおけるコントローラ（ゲートウエイ装置）のブロック図である。
【図３】端末アドレス・機器ＩＤ対応テーブルの例である。
【図４】図４（１）は、サーバ装置及び操作器からコントローラへの通信電文の構造を示す図である。図４（２）は、コントローラから通信アダプタへの通信電文の構造を示す図である。
【図５】実施の形態１に係る宅内機器制御監視システムにおいて宅内機器の交換をした場合における、端末アドレス・機器ＩＤ対応テーブルの自動更新の処理フローを示す図である。
【図６】実施の形態２に係る宅内機器制御監視システムにおいて宅内機器の交換をした場合における、端末アドレス・機器ＩＤ対応テーブルの自動更新の処理フローを示す図である。
【図７】実施の形態３に係る宅内機器制御監視システムにおいて宅内機器の交換をした場合における、端末アドレス・機器ＩＤ対応テーブルの自動更新の処理フローを示す図である。
【図８】実施の形態４に係る宅内機器制御監視システムにおいて宅内機器の入替交換をした場合における、端末アドレス・機器ＩＤ対応テーブルの自動更新の処理フローを示す図である。
【発明を実施するための形態】
【００１８】
〔実施の形態１〕
以下、図１〜図５を用いて、実施の形態１に係る宅内機器制御監視システムを説明する。
【００１９】
＜１−１．構成＞
１−１−１．宅内機器操作システムの構成
図１を用いて、実施の形態１に係る宅内機器制御監視システムを説明する。図１は、宅内機器制御監視システムを含むネットワーク構成を示している。図１に示すように、実施の形態１に係る宅内機器制御監視システム３は、操作器１６ａ、１６ｂによって宅内機器１４の遠隔操作を可能とするためのシステムである。図１に示す例では、宅内機器制御監視システム３は、３つの宅内機器１４−１〜１４−３を制御している。  
【００２０】
実施の形態１に係る宅内機器制御監視システム３は、宅内機器１４−１〜１４−３、通信アダプタ（通信装置）１２−１〜１２−３、操作器１６ａ、コントローラ（ゲートウェイ装置）１０を備える。宅内機器制御監視システム３は、ルータ装置８を介してインターネット６に接続される。インターネット６にはサーバ装置１８と操作器１６ｂが接続されている。
【００２１】
図１に示す実施の形態１では、宅内機器１４−１〜１４−３は、ユーザの居住する家屋４内に３台配置されている。３台の宅内機器のうち２台については、宅内機器１４−１、１４−２の外付けで通信アダプタ１２−１、１２−２が接続されている。また、３台の宅内機器のうち１台については、宅内機器１４−３の内部に通信アダプタ１２−３が組み込まれている。
【００２２】
宅内機器として、空気調和機や誘導電磁調理器があり、通信アダプタは、宅内機器に外付けで接続される場合と宅内機器の内部に組み込まれる場合がある。
【００２３】
通信アダプタ（通信装置）１２−１〜１２−３は、宅内機器１４−１〜１４−３の夫々の制御部に電気的に接続し、コントローラ１０と通信を行う。通信アダプタ（通信装置）１２−１〜１２−３は、コントローラ１０から送信される宅内機器１４−１〜１４−３を操作するための操作信号を受信し、受信した操作信号を宅内機器１４−１〜１４−３の制御部に出力する。宅内機器１４−１〜１４−３は、受信した操作信号に基づいた動作を実行する。
【００２４】
また、通信アダプタ１２−１〜１２−３は、宅内機器１４−１〜１４−３に関する情報を宅内機器１４−１〜１４−３の制御部から取得し、コントローラ１０に送信する。
【００２５】
通信アダプタ１２−１〜１２−３は、夫々、登録ボタンを備える。登録ボタンは、個々の宅内機器１４−１〜１４−３をコントローラ１０と新たに接続するためのものである。登録ボタンがユーザによって操作されると、当該登録ボタンを備える通信アダプタ１２−１〜１２−３は、宅内機器１４−１〜１４−３の制御部から宅内機器１４−１〜１４−３の機器ＩＤ（識別情報）を取得する。ここで機器ＩＤ（識別情報）とは、宅内機器の工場出荷時に宅内機器の制御部若しくは記憶部に電磁的に書き込まれる個体識別のためのＩＤ（Ｉｄｅｎｔｉｆｉｅｒ；識別情報）である。通信アダプタ１２−１〜１２−３は、取得した機器ＩＤ（識別情報）をコントローラ１０に送信する。このときコントローラ１０は、宅内機器設定のための特別なモードに設定されている。
【００２６】
なお、以下の例では、コントローラ１０は通信アダプタ１２−１〜１２−３と無線通信を行うが、コントローラ１０と通信アダプタ１２−１〜１２−３との間の通信は、有線のものであってもよい。
【００２７】
操作器１６ａ、１６ｂは、例えば、スマートフォン、タブレットＰＣ（パーソナルコンピュータ）等の汎用の携帯端末である。操作器１６ａ、１６ｂは、インターネット６に接続する接続手段と、ルータ装置８と通信する通信手段とを備える。例えば、操作器１６ｂ（例えば、スマートフォン）は、電話回線網（例えば、３Ｇ回線網）を介して、インターネット６に接続できる。
【００２８】
操作器１６ａは、例えば、Ｗｉ−Ｆｉ通信、Ｂｌｕｅｔｏｏｔｈ（登録商標）通信、若しくは赤外線通信などにより、ルータ装置８に接続できる。この場合、操作器１６ａにはそのためのデバイス（例えば、Ｗｉ−Ｆｉアンテナ）が組み込まれている。
【００２９】
ルータ装置８は、例えば、Ｗｉ−Ｆｉ通信により、操作器１６ａと通信可能である。ルータ装置８は、コントローラ（ゲートウェイ装置）１０を介して、操作器１６ａから受信したコマンド等の無線信号を発信し、通信アダプタ１２−１〜１２−３がこれを受信することにより、宅内機器１４−１〜１４−３と通信する。このように、操作器１６ａは、家屋４内で、宅内機器１４−１〜１４−３と直接的に通信できる。
【００３０】
コントローラ（ゲートウェイ装置）１０は、通信アダプタ１２−１〜１２−３とルータ装置８と間の通信を中継する。コントローラ１０はユーザの家屋４内に設置される。コントローラ１０は、通信アダプタ１２−１〜１２−３と、例えば、特定小電力無線特別小型周波数帯（９２４．０〜９２８．０ＭＨｚ）の信号を用いて通信する。
【００３１】
インターネット６には、操作器１６ｂやサーバ装置１８が接続可能である。インターネット６に接続することにより、操作器１６ｂは、宅内機器１４−１〜１４−３を操作するためのアプリケーションプログラムを、インターネット６を介してサーバ装置１８から取得することができる。ここで、このサーバ装置１８は、例えば、宅内機器１４−１〜１４−３の製造メーカにより設置されるものであり、当該製造メーカのホームページ等を構築する。よって、操作器１６ｂの操作者は、前述のアプリケーションプログラムを当該製造メーカのホームページを操作して操作器１６ｂ内に取得する。
【００３２】
前述のように取得したアプリケーションプログラムを操作器１６ｂにインストールし、インストールしたプログラムを起動することにより、操作器１６ｂの操作者は、宅内機器１４−１〜１４−３を操作することが可能となる。即ち、操作者が操作器１６ｂのタッチパネルの操作画面を操作することにより、宅内機器１４−１〜１４−３を操作するための操作信号が生成されて、宅内機器１４−１〜１４−３の夫々に送信される。
【００３３】
サーバ装置１８は、操作器１６ａ、１６ｂ、宅内機器１４−１〜１４−３、通信アダプタ１２−１〜１２−３、及びコントローラ１０に関して、アクセスや認証に必要な情報を管理する。サーバ装置１８は、例えば、操作器１６ｂからの通信要求信号の認証を行う。
【００３４】
このように操作器１６ｂは、家屋４外で、インターネット６を経由してサーバ装置１８にアクセスする。そして、サーバ装置１８からの認証を受けることで、操作器１６ｂは、ルータ装置８及びコントローラ１０を介して、宅内機器１４−１〜１４−３を遠隔的に操作することが可能である。
【００３５】
１−１−２．コントローラ（ゲートウエイ装置）の構成
図２は、宅内機器制御監視システム３におけるコントローラ（ゲートウエイ装置）１０のブロック図である。図２に示すように、コントローラ１０は、制御部２０、記憶部２８、表示部２６、第１通信部２２、及び第２通信部２４を含む。制御部２０は、各種データの演算処理及びコントローラ１０全体の動作の制御を行う。第２通信部２４は、ルータ装置８との各種信号及びデータの遣り取りを制御する。第１通信部２２は、宅内機器１４−１〜１４−３と接続する通信アダプタ１２−１〜１２−３との各種信号及びデータの遣り取りを制御する。表示部２６は、制御部２０の制御により各種データを表示する。
【００３６】
また、各種データを記憶する記憶部２８は、端末アドレス・機器ＩＤ対応テーブル２８ｔを格納している。記憶部２８は、ハードディスクや半導体メモリで構成される。前述のように機器ＩＤ（識別情報）とは、宅内機器の工場出荷時に宅内機器の制御部若しくは記憶部に電磁的に書き込まれる個体識別のためのＩＤ（識別情報）である。また、端末アドレスは、個々の通信アダプタに対して割り当てられた論理アドレスである。図３は、端末アドレス・機器ＩＤ対応テーブル２８ｔの構成例を示している。端末アドレス・機器ＩＤ対応テーブル２８ｔは、通信アダプタの端末アドレスと、その通信アダプタに接続する宅内機器の機器ＩＤ（識別情報）とを関連付けている。この端末アドレス・機器ＩＤ対応テーブル２８ｔを参照することにより、コントローラ１０は、個々の通信アダプタと、個々の宅内機器との通信上における接続を把握することができる。
【００３７】
１−１−３．通信電文の構造
図４（１）は、サーバ装置１８及び操作器１６ａからコントローラ１０への通信電文の構造を示す図である。図４（２）は、コントローラ１０から通信アダプタ１２−１〜１２−３への通信電文の構造を示す図である。
【００３８】
図４（１）に示すように、サーバ装置１８及び操作器１６ａからコントローラ１０への通信電文は、発信元を示すソースアドレス（ＳＡ）、送信先を示すデスティネーションアドレス（ＤＡ）、ペイロード、及びチェックサム（ＣＳ）を含む。更に、ペイロードは、透過コマンド（ＣＭＤ）、制御対象とする宅内機器の機器ＩＤ、及びデータ（ＤＡＴＡ）により構成される。ここで、データ（ＤＡＴＡ）は、制御対象とする宅内機器の制御コマンド及び監視コマンドを含む。
【００３９】
また図４（２）に示すように、コントローラ１０から通信アダプタ１２−１〜１２−３への通信電文は、発信元のソースアドレス（ＳＡ’）、送信先のデスティネーションアドレス（ＤＡ’）、宅内機器の制御及び監視コマンド、並びにチェックサム（ＣＳ）を含む。
【００４０】
図４（１）に示す通信電文を受信したコントローラ１０は、その通信電文に含まれる機器ＩＤに基づいて、当該機器ＩＤにより識別される宅内機器１４−１〜１４−３に接続する通信アダプタ１２の端末アドレスを特定する。この際、コントローラ１０は、端末アドレス・機器ＩＤ対応テーブル２８を参照して、機器ＩＤから端末アドレスを特定する。更に、コントローラ１０は、特定した（通信アダプタ１２の）端末アドレスを、図４（２）に示す通信電文のデスティネーションアドレス（ＤＡ’）に設定して、コントローラ１０から通信アダプタ１４−１〜１４−３への通信電文を作成する。コントローラ１０は、このように作成した通信電文を通信アダプタ１４−１〜１４−３へ送信する。通信アダプタ１４−１〜１４−３は、この通信電文を受信して、接続する宅内機器１４−１〜１４−３の制御部に出力する。
【００４１】
＜１−２．動作＞
１−２−１．宅内機器制御監視システムの動作
以上のように構成される宅内機器制御監視システムの動作を説明する。図５は、実施の形態１に係る宅内機器制御監視システムにおいて宅内機器１４の交換をした場合における、端末アドレス・機器ＩＤ対応テーブルの自動更新処理のフローを示す図である。
【００４２】
まず、宅内機器１４−１〜１４−３（以下、「１４」と記す）のうちの一つが交換される（ステップＳ０２）。その後、交換された宅内機器１４及びその宅内機器１４に接続する通信アダプタ１２の電源が起動される（ステップＳ０４）。このとき、宅内機器１４の記憶部に格納される宅内機器１４の機器ＩＤが、その宅内機器１４に接続する通信アダプタ１２に送信される（Ｔ０２）。
【００４３】
通信アダプタ１２−１〜１２−３（以下、「１２」と記す）は、宅内機器１４及びその宅内機器１４に接続する通信アダプタ１２の電源が起動されたこと（起動イベント）を、コントローラ１０の制御部２０に通知する（Ｔ０４）。起動イベントの通知を受けた制御部２０は、起動イベントの通知を行った通信アダプタ１２に対して、その通信アダプタ１２に接続する宅内機器１４の機器ＩＤを要求する（Ｔ０６）。すなわち、制御部２０は、その通信アダプタ１２に対して、宅内機器の機器ＩＤを要求する電文を送信する。その要求を受けた通信アダプタ１２は、制御部２０に対して、その通信アダプタ１２に接続する宅内機器１４の機器ＩＤを送信する（Ｔ０８）。
【００４４】
このようにして、制御部２０は、交換された宅内機器１４の機器ＩＤを取得する。なお、宅内機器１４及び通信アダプタ１２の電源が起動される際（ステップＳ０４）、及び、通信アダプタ１２が起動イベントを通知（Ｔ０４）する際には、コントローラ（ゲートウエイ装置）１０は機器設定のための特別なモードに設定されている必要は無い。
【００４５】
その後、制御部２０は、起動イベントを通知してきた通信アダプタ１２の端末アドレスと、その通信アダプタ１２から受信した機器ＩＤとの組み合わせが、端末アドレス・機器ＩＤ対応テーブル２８ｔにおいて既に登録されているか否か判断する（ステップＳ０６）。すなわち、制御部２０は、宅内機器１４の電源起動をトリガとして制御部２０が取得したその宅内機器１０の機器ＩＤが、端末アドレスと組み合わされて、端末アドレス・機器ＩＤ対応テーブル２８ｔに登録されているか確認する。
【００４６】
ステップＳ０６で、機器ＩＤと端末アドレスの組み合わせが端末アドレス・機器ＩＤ対応テーブル２８ｔに登録されていないと確認されれば（ステップＳ０６・ＮＯ）、制御部２０は対応テーブル２８ｔの更新処理を行う（ステップＳ１６）。
【００４７】
例えば、図３に示すように、端末アドレス「１」と機器ＩＤ「ＸＸＸ」とが組み合わされて、端末アドレス・機器ＩＤ対応テーブル２８ｔに登録されていたとする。宅内機器１４の交換により、端末アドレス「１」が割り付けられた通信アダプタ１２に、機器ＩＤ「ＡＡＡ」が接続されることとなったとする。この場合、端末アドレス・機器ＩＤ対応テーブル２８ｔにおいて、端末アドレス「１」と機器ＩＤ「ＸＸＸ」との組み合わせは、既存の端末アドレス「１」と機器ＩＤ「ＡＡＡ」との組み合わせに更新される。
【００４８】
ステップＳ０６で、機器ＩＤと端末アドレスとの組み合わせが、端末アドレス・機器ＩＤ対応テーブル２８ｔに既に登録されていると確認されれば（ステップＳ０６・ＹＥＳ）、制御部２０は何ら処理を行わない。
【００４９】
なお、図５に示す処理フローにおいては、宅内機器１４の交換（ステップＳ０２）が無くとも、宅内機器１４及びその宅内機器１４に接続する通信アダプタ１２の電源の起動があれば（ステップＳ０４）、以下の処理は必ず行われる。
通信アダプタ１２による宅内機器１４の機器ＩＤの取得（Ｔ０２）。
通信アダプタ１２からコントローラ１０制御部２０への起動の通知（Ｔ０４）。
（３）コントローラ１０の制御部２０による通信アダプタ１２への、宅内機器１４の機器ＩＤの要求（Ｔ０６）。
（４）通信アダプタ１２によるコントローラ１０の制御部２０への、宅内機器１４の機器ＩＤの応答（Ｔ０８）。
【００５０】
この場合、宅内機器１４の交換（ステップＳ０２）が無いので、制御部２０は端末アドレス・機器ＩＤ対応テーブル２８ｔの更新処理を行わない。
【００５１】
なお、ステップＳ０６では、機器ＩＤと端末アドレスの組み合わせが対応テーブル２８ｔに登録されているか否かの判断が行われた。しかしながら、ステップＳ０６において、機器ＩＤが対応テーブル２８ｔに登録されているか否かが判断されてもよい（以下の実施の形態においても同様）。機器ＩＤが対応テーブル２８ｔに登録されていない、ということは、機器ＩＤ、すなわち宅内機器がコントローラ１０にとって新しいものである、と考えられ得るからである。
【００５２】
＜１−３．まとめ＞
以上のように、実施の形態１に係る宅内機器制御監視システム３は、宅内機器と接続された通信アダプタ１２と、通信アダプタ１２と通信を行うコントローラ１０とを含む。コントローラ１０は、通信アダプタ１２と宅内機器１４との接続関係を示す情報を含む対応テーブル２８ｔを格納する記憶部と、通信アダプタ１２と通信を行う通信部２２と、コントローラ１０の動作を制御する制御部２０とを備える。制御部２０は、通信アダプタ１２から、通信アダプタ１２が起動したときに送信される起動通知を受信すると、通信アダプタ１２に対して、通信アダプタ１２に接続する宅内機器１４の識別情報を要求する。次に、制御部２０は、当該要求に応答して通信アダプタ１２から識別情報を受信する。更に、制御部２０は、受信した識別情報に係る宅内機器１４と当該宅内機器１４に接続された通信アダプタ１２との接続関係を示す情報が、対応テーブル２８ｔに登録されていない場合に、受信した識別情報に基づき対応テーブル２８ｔを更新する。
【００５３】
このように、実施の形態１に係る宅内機器制御監視システム３においては、宅内機器１４が交換され、その後その宅内機器１４の電源が起動されれば、新たな宅内機器１４の機器ＩＤの再登録処理が自動的に行われる。このことにより、宅内機器を交換する際の施工者の作業負荷は大きく軽減される。
【００５４】
〔実施の形態２〕
次に、図面を用いて、実施の形態２に係る宅内機器制御監視システムを説明する。
【００５５】
＜２−１．構成＞
実施の形態２に係る宅内機器制御監視システム３は、図１に示す実施の形態１に係る宅内機器制御監視システムと同様の構成を有する。以下で説明するように、実施の形態２に係る宅内機器制御監視システム３は、実施の形態１のものとは、コントローラの起動の時に、コントローラが全通信アダプタから、それらに接続する宅内機器の機器ＩＤを取得する点で異なる。
【００５６】
＜２−２．動作＞
２−２−１．宅内機器制御監視システムの動作
図６は、実施の形態２に係る宅内機器制御監視システムにおいて宅内機器１４の交換をした場合における、端末アドレス・機器ＩＤ対応テーブルの自動更新処理のフローを示す図である。
【００５７】
まず、宅内機器１４のうちの一つが交換され（ステップＳ０２）、その後、交換された宅内機器１４及びその宅内機器１４に接続する通信アダプタ１２の電源が起動される（ステップＳ０４）。このとき、宅内機器１４の記憶部に格納される宅内機器１４の機器ＩＤが、その宅内機器１４に接続する通信アダプタ１２に送信される（Ｔ０２）。
【００５８】
通信アダプタ１２は、宅内機器１４及びその宅内機器１４に接続する通信アダプタ１２の電源が起動されたこと（起動イベント）を、コントローラ１０の制御部２０に通知する（Ｔ０２）。ここで、通信アダプタ１２が起動イベント（Ｔ０４）を制御部２０に通知する時点にて、コントローラ１０も既に起動しているならば、コントローラ１０の制御部２０、通信アダプタ１２及び宅内機器１４は、図５に示す実施の形態１に係る処理フローと同様の動作を行う。しかしながら、本例では、通信アダプタ１２が起動イベント（Ｔ０４）をコントローラ１０の制御部２０に通知する時点にて、コントローラ１０が停止状態であるとする。このため、以下に説明する処理が行われる。
【００５９】
コントローラ１０の制御部２０は、停止状態にあるときは、起動イベントの通知を受けても、何ら動作しない。その後、コントローラ１０の電源が起動される（ステップＳ０５）と、制御部２０は、コントローラ１０に付属する全ての通信アダプタ１２に対して、それら通信アダプタ１２の各々に接続する宅内機器１４の機器ＩＤを要求する（Ｔ１６）。ここで、「コントローラに付属する全ての通信アダプタ」とは、端末アドレス・機器ＩＤ対応テーブルに登録される端末アドレスの各々に対応する通信アダプタの全てである。
【００６０】
制御部２０からの、機器ＩＤの要求（Ｔ１６）を受けた個々の通信アダプタ１２は、その要求に応答して制御部２０に対して、個々の通信アダプタ１２に接続する宅内機器１４の機器ＩＤを送信する（Ｔ１８）。
【００６１】
このようにして、コントローラ１０の制御部２０は、起動直後に、全ての宅内機器１４について、（通信アダプタ１２の）端末アドレス、及び機器ＩＤを取得する。
【００６２】
その後、制御部２０は、通信アダプタ１２の端末アドレスと、その通信アダプタ１２から受信した機器ＩＤとの組み合わせが、端末アドレス・機器ＩＤ対応テーブル２８ｔに登録されているか否か全通信アダプタ１２につき判断する（ステップＳ２６）。すなわち、制御部２０は、コントローラ１０の電源起動をトリガとしてコントローラ１０が取得した全ての宅内機器１０の機器ＩＤの夫々が、端末アドレスと組み合わされて、端末アドレス・機器ＩＤ対応テーブル２８ｔに登録されているか確認する。
【００６３】
ステップＳ２６で、機器ＩＤと端末アドレスの組み合わせが端末アドレス・機器ＩＤ対応テーブル２８ｔに登録されていないと確認されれば（ステップＳ２６・ＮＯ）、制御部２０は対応テーブル２８ｔの更新処理を行う（ステップＳ３６）。
【００６４】
ステップＳ２６で、機器ＩＤと端末アドレスとの組み合わせが、端末アドレス・機器ＩＤ対応テーブル２８ｔに既に登録されているものであると確認されれば（ステップＳ２６・ＹＥＳ）、制御部２０は何ら処理を行わない。
【００６５】
＜２−３．まとめ＞
以上のように、実施の形態２に係る宅内機器制御監視システム３は、基本的に実施の形態１に係る宅内機器制御監視システムと同様のシステムである。更に、実施の形態２に係る宅内機器制御監視システムにおいては、制御部２０は、コントローラ１０が起動したときに、通信アダプタ１２に対して、通信アダプタ１２に接続する宅内機器１４の識別情報を要求する。次に、制御部２０は、当該要求に対応した通信アダプタ１２から識別情報を受信する。更に、制御部２０は、受信した識別情報に係る宅内機器１４と当該宅内機器１４に接続された通信アダプタ１２との接続関係を示す情報が、対応テーブル２８ｔに登録されていない場合に、受信した識別情報に基づき対応テーブル２８ｔを更新する。
【００６６】
このように、実施の形態２に係る宅内機器制御監視システムにおいては、宅内機器１４が交換され、その後コントローラ１０の電源が起動されれば、新たな宅内機器１４の機器ＩＤの再登録処理が自動的に行われる。このことにより、宅内機器を交換する際の施工者の作業負荷は大きく軽減される。
【００６７】
〔実施の形態３〕
次に、図面を用いて、実施の形態３に係る宅内機器制御監視システムを説明する。
【００６８】
＜３−１．構成＞
実施の形態３に係る宅内機器制御監視システム３は、図１に示す実施の形態１に係る宅内機器制御監視システムと同様の構成を有する。以下で説明するように、実施の形態３に係る宅内機器制御監視システム３は、実施の形態１のものとは、コントローラ１０が定期的ポーリング処理により機器ＩＤを取得する点で異なる。
【００６９】
＜３−２．動作＞
３−２−１．宅内機器制御監視システムの動作
図７は、実施の形態３に係る宅内機器制御監視システムにおいて宅内機器１４の交換をした場合における、端末アドレス・機器ＩＤ対応テーブルの自動更新処理のフローを示す図である。
【００７０】
まず、宅内機器１４のうちの一つが交換され（ステップＳ０２）、その後、交換された宅内機器１４及びその宅内機器１４に接続する通信アダプタ１２の電源が起動される（ステップＳ０４）。このとき、宅内機器１４の記憶部に格納される宅内機器１４の機器ＩＤが、その宅内機器１４に接続する通信アダプタ１２に送信される（Ｔ０２）。
【００７１】
通信アダプタ１２は、宅内機器１４及びその宅内機器１４に接続する通信アダプタ１２の電源が起動されたこと（起動イベント）を、定期的にコントローラ１０の制御部２０に通知する（Ｔ０４）。しかしながら、実施の形態３では、制御部２０は、通信アダプタ１２から起動イベントの通知（Ｔ０４）を受信しても、その通信アダプタ１２に対して何ら応答しない。すなわち、制御部２０は、その通信アダプタ１２に接続する宅内機器１４の機器ＩＤを要求する電文等を送信することは無い。
【００７２】
本実施の形態では、制御部２０は、図７に示すように定期的ポーリングにより、コントローラ１０に付属する全ての通信アダプタ１２に対して、それら通信アダプタ１２の各々に接続する宅内機器１４の機器ＩＤを要求する（Ｔ２６）。定期的ポーリングは、例えば、１０分間隔で行われる。
【００７３】
制御部２０から機器ＩＤの要求（Ｔ２６）を受けた個々の通信アダプタ１２は、制御部２０に対して、個々の通信アダプタ１２に接続する宅内機器１４の機器ＩＤを送信する（Ｔ２８）。
【００７４】
このようにして、制御部２０は、定期的ポーリングによって、全ての宅内機器１４について（通信アダプタ１２の）端末アドレス及び機器ＩＤを取得する。
【００７５】
その後、制御部２０は、通信アダプタ１２の端末アドレスと、その通信アダプタ１２から受信した機器ＩＤとの組み合わせが、端末アドレス・機器ＩＤ対応テーブル２８ｔに登録されているか否か全通信アダプタ１２につき判断する（ステップＳ２６）。すなわち、制御部２０は、制御部２０からの定期的ポーリングをトリガとしてコントローラ１０が取得した全ての宅内機器１０の機器ＩＤの夫々が、端末アドレスと組み合わされて、端末アドレス・機器ＩＤ対応テーブル２８ｔに登録されているか確認する。
【００７６】
ステップＳ２６で、機器ＩＤと端末アドレスの組み合わせが端末アドレス・機器ＩＤ対応テーブル２８ｔに登録されていないと確認されれば（ステップＳ２６・ＮＯ）、制御部２０は対応テーブル２８ｔの更新処理を行う（ステップＳ３６）。
【００７７】
ステップＳ２６で、機器ＩＤと端末アドレスとの組み合わせが、端末アドレス・機器ＩＤ対応テーブル２８ｔに既に登録されているものであると確認されれば（ステップＳ２６・ＹＥＳ）、制御部２０は何ら処理を行わない。
【００７８】
その後も、制御部２０は、定期的ポーリングにより各通信アダプタ１２から、それらに接続する室内機器１４の機器ＩＤを取得し、必要に応じて端末アドレス・機器ＩＤ対応テーブル２８ｔの更新処理を行う。
【００７９】
＜３−３．まとめ＞
以上のように、実施の形態３に係る宅内機器制御監視システム３は、宅内機器１４と接続された通信アダプタ１２と、通信アダプタ１２と通信を行うコントローラ１０とを含む。コントローラ１０は、通信アダプタ１２と宅内機器１４との接続関係を示す情報を含む対応テーブル２８ｔを格納する記憶部２８と、通信アダプタ１２と通信を行う通信部２２と、コントローラ１０の動作を制御する制御部２０とを備える。制御部２０は、定期的ポーリング処理により、通信アダプタ１２に対して、通信アダプタ１２に接続する宅内機器１４の識別情報を要求する。次に、制御部２０は、当該要求に応答して通信アダプタ１２から識別情報を受信する。更に、制御部２０は、受信した識別情報に係る宅内機器１４と当該宅内機器１４に接続された通信アダプタ１２との接続関係を示す情報が、対応テーブル２８ｔに登録されていない場合に、受信した識別情報に基づき対応テーブル２８ｔを更新する。
【００８０】
このように、実施の形態３に係る宅内機器制御監視システムにおいては、宅内機器１４が交換されれば、その後のコントローラ１０からの定期的ポーリングにより、新たな宅内機器１４の機器ＩＤの再登録処理が自動的に行われる。このことにより、宅内機器を交換する際の施工者の作業負荷は大きく軽減される。
【００８１】
〔実施の形態４〕
次に、図面を用いて、実施の形態４に係る宅内機器制御監視システムを説明する。
【００８２】
＜４−１．構成＞
実施の形態４に係る宅内機器制御監視システム３は、図１に示す実施の形態１に係る宅内機器制御監視システムと同様の構成を有する。以下で説明するように、実施の形態４に係る宅内機器制御監視システム３は、実施の形態１のものとは、コントローラ１０の制御部２０が端末アドレス・機器ＩＤ対応テーブル２８ｔの無効化の処理を行う点で異なる。
【００８３】
＜４−２．動作＞
４−２−１．宅内機器制御監視システムの動作
図８は、実施の形態４に係る宅内機器制御監視システムにおいて宅内機器１４の入替交換をした場合における、端末アドレス・機器ＩＤ対応テーブルの自動更新処理のフローを示す図である。実施の形態１では、端末アドレス・機器ＩＤ対応テーブルに対して機器ＩＤと端末アドレスとの新たな組み合わせを追加する更新処理を行うことを説明してきた。これに対して、本実施の形態では、機器ＩＤと端末アドレスとの新たな組み合わせを追加する更新処理に加えて、既存の機器ＩＤに係る組み合わせデータを無効化する処理を行うことを説明する。なお、本実施の形態における対応テーブルの更新処理における無効化処理は、実施の形態２及び３における更新処理においても適用できる。
【００８４】
まず、宅内機器１４のうちの、少なくとも二つにおいて入替交換がなされる（ステップＳ０３）。ここで、「入替交換」とは、少なくとも二つの通信アダプタ１２の夫々に接続する宅内機器１４において、相互に入れ替えて若しくは一方を他方と入れ替えて、交換して接続することをいう。
【００８５】
次に、入替交換された宅内機器１４のうちの一つ及びその宅内機器１４に接続する通信アダプタ１２の電源が起動される（ステップＳ０４）。このとき、宅内機器１４の記憶部に格納される宅内機器１４の機器ＩＤが、その宅内機器１４に接続する通信アダプタ１２に送信される（Ｔ０２）。
【００８６】
通信アダプタ１２は、宅内機器１４及びその宅内機器１４に接続する通信アダプタ１２の電源が起動されたこと（起動イベント）を、コントローラ１０の制御部２０に通知する（Ｔ０２）。起動イベントの通知を受けた制御部２０は、起動イベントの通知を行った通信アダプタ１２に対して、その通信アダプタ１２に接続する宅内機器１４の機器ＩＤを要求する（Ｔ０６）。その要求を受けた通信アダプタ１２は、制御部２０に対して、その通信アダプタ１２に接続する宅内機器１４の機器ＩＤを送信する（Ｔ０８）。
【００８７】
このようにして、制御部２０は、入替交換された宅内機器１４の機器ＩＤを受信（取得）する。なお、宅内機器１４及び通信アダプタ１２の電源が起動される際（ステップＳ０４）、及び、通信アダプタ１２が起動イベントを通知（Ｔ０４）する際には、コントローラ（ゲートウエイ装置）１０は機器設定のための特別なモードに設定されている必要は無い。
【００８８】
その後、制御部２０は、起動イベントを通知してきた通信アダプタ１２の端末アドレスと、その通信アダプタ１２から受信した機器ＩＤとの組み合わせが、端末アドレス・機器ＩＤ対応テーブル２８ｔにおいて既に登録されているか否か判断する（ステップＳ０６）。
【００８９】
ステップＳ０６で、機器ＩＤと端末アドレスの組み合わせが端末アドレス・機器ＩＤ対応テーブル２８ｔに登録されていないと確認されれば（ステップＳ０６・ＮＯ）、制御部２０は対応テーブル２８ｔの更新処理を行う（ステップＳ１０、Ｓ１２、Ｓ１６）。
【００９０】
この更新処理では、制御部２０は先ず、取得した機器ＩＤが、端末アドレス・機器ＩＤ対応テーブル２８ｔに存在するか否かを確認する（ステップＳ１０）。取得した機器ＩＤが、端末アドレス・機器ＩＤ対応テーブル２８ｔに存在すれば（ステップＳ１０・ＹＥＳ）、制御部２０はその機器ＩＤと端末アドレスとの組み合わせ（対象レコード）を無効化、すなわち、削除する（ステップＳ１２）。そして、制御部２０は、取得された機器ＩＤと新たな端末アドレスとの組み合わせを、端末アドレス・機器ＩＤ対応テーブル２８ｔに追加する（ステップＳ１６）。
【００９１】
一方、取得された機器ＩＤが、対応テーブル２８ｔに存在しなければ（ステップＳ１０・ＮＯ）、制御部２０は、取得された機器ＩＤと端末アドレスとの組み合わせを、端末アドレス・機器ＩＤ対応テーブル２８ｔに追加する（ステップＳ１６）処理のみ行う。
【００９２】
ステップＳ０６で、機器ＩＤと端末アドレスとの組み合わせが、端末アドレス・機器ＩＤ対応テーブル２８ｔに既に登録されていると確認されれば（ステップＳ０６・ＹＥＳ）、制御部２０は何ら処理を行わない。
【００９３】
なお、制御部２０は、対応テーブル更新処理中には、操作器１６ａ、１６ｂやサーバ装置１８等からの全ての宅内機器１４に対する動作（制御）信号を、一時的に受け付けないように制御している。このようにすることで、ステップＳ１２の「端末アドレス・機器ＩＤ対応テーブルの対象レコードを無効化（削除）」する処理と、ステップＳ１６の「端末アドレス・機器ＩＤ対応テーブルを更新」する処理は、いずれが先に行われてもよいこととなる。
【００９４】
＜４−３．まとめ＞
以上のように、実施の形態４に係る宅内機器制御監視システムは、基本的に実施の形態１乃至３に係る宅内機器制御監視システムのいずれかと同様のシステムである。更に、実施の形態４に係る宅内機器制御監視システムにおいては、以下の（Ａ）且つ（Ｂ）の事象が発生したとき、制御部２０は、以下の（ｉ）且つ（ｉｉ）の処理を行う。
（Ａ）受信した識別情報に係る宅内機器１４と当該宅内機器１４に接続された通信アダプタ１２との接続関係を示す情報が、対応テーブル２８ｔに登録されていない。
（Ｂ）当該宅内機器１４と、当該宅内機器１４に接続された通信アダプタ１２とは異なる通信アダプタ１２との接続関係を示す情報が、対応テーブルに登録されている。
（ｉ）受信した識別情報に係る宅内機器１４と当該宅内機器１４に接続された通信アダプタ１２との接続関係を示す情報を、対応テーブル２８ｔに追加する。
（ｉｉ）当該宅内機器１４と、当該宅内機器１４に接続された通信アダプタ１２とは異なる通信アダプタ１２との接続関係を示す情報を、対応テーブル２８ｔにて無効化する。
【００９５】
このように、実施の形態４に係る宅内機器制御監視システムにおいては、宅内機器１４が入替交換され、その後その宅内機器１４の電源が起動されれば、その宅内機器１４の機器ＩＤの再登録処理が自動的に行われる。このことにより、宅内機器を交換する際の施工者の作業負荷は大きく軽減される。
【００９６】
なお、本実施の形態における端末アドレス・機器ＩＤ対応テーブルの無効化処理の思想は、実施の形態２及び３に示した更新処理にも適用できる。
【符号の説明】
【００９７】
３・・・宅内機器制御監視システム、６・・・インターネット、８・・・ルータ装置、１０・・・コントローラ（ゲートウエイ装置）、１２、１２−１〜１２−３・・・通信アダプタ、１４、１４−１〜１４−３・・・宅内機器、１６ａ、１６ｂ・・・操作器、１８・・・サーバ装置、２０・・・制御部（ＣＰＵ）、２２・・・内部通信部、２４・・・外部通信部、２６・・・表示部、２８・・・記憶部、２８ｔ・・・端末アドレス・機器ＩＤ対応テーブル。
【図１】
2015046824.tif 000003
【図２】
2015046824.tif 000004
【図３】
2015046824.tif 000005
【図４】
2015046824.tif 000006
【図５】
2015046824.tif 000007
【図６】
2015046824.tif 000008
【図７】
2015046824.tif 000009
【図８】
2015046824.tif 000010